(57)【要約】【課題】発呼側で使用した通信手段が着呼側携帯通信端末で無効設定されている場合でも、該通信手段による通信を極力可能にする。【解決手段】携帯電話交換局４からの携帯電話着信に対して携帯電話機能とＷＬＡＮ機能を備えたデュアル携帯通信端末１が応答しないとき、呼び出し要求部５から、ＷＬＡＮ経由で携帯通信端末１に対して携帯電話呼び出し要求を行って、携帯通信端末１の携帯電話機能を有効にするための制御を行う。その後、携帯電話交換局４からの携帯電話着信を再送信して携帯通信端末１と通信を確立することにより、携帯電話機能が無効に設定されている携帯通信端末１に対する携帯電話着信であっても、携帯電話通信手段で通信を行うことを可能にする。【選択図】図１
2010087876.tif 000002
【特許請求の範囲】
【請求項１】
通信方式の異なる複数の無線通信システムと、該複数の無線通信システムで各々通信が可能な複数の無線通信手段を実装した携帯通信端末とを備えた通信システムにおいて、
前記複数の無線通信システム内の一無線通信システムから送信された前記携帯通信端末宛の着呼に対して前記携帯通信端末からの応答がないときに、前記複数の無線通信システム内の他の無線通信システム経由で前記携帯通信端末に実装された前記一無線通信システム用無線通信手段を有効化するための呼び出し要求信号を送信する呼び出し要求手段を備えたことを特徴とする通信システム。
【請求項２】
前記複数の無線通信システムは、携帯電話通信システムと、ＷＬＡＮ通信システムによって構成されていることを特徴とする請求項１に記載の通信システム。
【請求項３】
前記一無線通信システムは、前記呼び出し要求信号に対する前記携帯通信端末からの応答信号があったとき、該携帯通信端末に対して前記着呼を再送信して該帯通信端末と通信を確立する機能を有していることを特徴とする請求項１または２に記載の通信システム。
【請求項４】
前記一無線通信システムは、前記呼び出し要求信号に対する前記携帯通信端末からの応答信号がなかったとき、前記着呼を前記他の無線通信システムへ接続する機能を有しており、前記他の無線通信システムは、前記一無線通信システムから受信した着呼を前記他の無線通信システム経由で前記携帯通信端末へ送信して該帯通信端末と通信を確立する機能を有していることを特徴とする請求項３に記載の通信システム。
【請求項５】
請求項１〜４の何れかに記載の通信システムで用いられる携帯通信端末であって、
前記複数の無線通信システムで各々通信が可能な複数の無線通信手段と、前記呼び出し要求信号を受信する手段と、該受信した呼び出し要求信号で指定された前記無線通信手段を有効状態に設定する通信モード切替制御手段を備えていることを特徴とする携帯通信端末。
【請求項６】
通信方式の異なる複数の無線通信システムと、該複数の無線通信システムで各々通信が可能な複数の無線通信手段を実装した携帯通信端末とを備えた通信システムにおける通信方法であって、
前記複数の無線通信システム内の一無線通信システムから送信された前記携帯通信端末宛の着呼に対して前記携帯通信端末からの応答がないときに、前記複数の無線通信システム内の他の無線通信システム経由で前記携帯通信端末に実装された前記一無線通信システム用無線通信手段を有効化するための呼び出し要求信号を送信することを特徴とする通信方法。
【請求項７】
前記呼び出し要求信号に対する前記携帯通信端末からの応答信号があったとき、前記一無線通信システムから該携帯通信端末に対して前記着呼を再送信して該帯通信端末と通信を確立することを特徴とする請求項６に記載の通信方法。
【請求項８】
前記呼び出し要求信号に対する前記携帯通信端末からの応答信号がなかったとき、前記着呼を前記一無線通信システムから前記他の無線通信システムへ転送し、前記他の無線通信システム経由で前記着呼を前記携帯通信端末へ送信して該帯通信端末と通信を確立することを特徴とする請求項７に記載の通信方法。
【発明の詳細な説明】
【技術分野】
【０００１】
本発明は、携帯電話、ＷＬＡＮ等の通信方式の異なる複数の無線通信システムと、該複数の無線通信システムで各々通信が可能な複数の無線通信手段を実装した携帯通信端末とを備えた通信システムに関する。
【背景技術】
【０００２】
従来の携帯通信端末での無線通信システムは、携帯通信端末と無線基地局との間の電波による無線通信において、第三世代ではＣＤＭＡ方式が採用されている。また最近では、パソコンでのインターネット用に公衆無線ＬＡＮ環境（以下、ＷＬＡＮ(Wireless Local Area Network)）が整備されてきたのに伴い、携帯通信端末にもＷＬＡＮに対応可能な構成を付加することにより、ＣＤＭＡ方式の携帯電話機能と、ＷＬＡＮ通信機能を有するデュアルモードの携帯通信端末が実現されている（例えば、特許文献１参照）。
【０００３】
特許文献１に記載の、携帯電話通信手段とＷＬＡＮ通信手段とが実装された携帯通信端末を含むデュアル通信システムでは、携帯通信端末にＷＬＡＮ通信手段の電話番号を携帯電話交換網に登録する機能と、携帯電話通信手段の電話番号をＩＰ(Internet Protocol)電話交換網に登録する機能とを備えることにより、一方の通信手段による通信が不可であるときに、他方の通信手段へ着信を自動的に転送することによって、通信ができないといった事態を回避することができるようにしている。
【０００４】
【特許文献１】特開２００６−０８０７０６号公報
【発明の開示】
【発明が解決しようとする課題】
【０００５】
特許文献１に記載の携帯電話機能とＷＬＡＮ通信機能を有するデュアルモードの携帯通信端末によれば、片方が通信不可でも、もう片方で通信可能にする機能を実現できるが、一方、デュアルモードの携帯通信端末では、複数の無線機能を同時に稼動するため消費電力が大きいという問題がある。そこで、消費電力を低減させるためにユーザ側の通信モード設定により、携帯電話通信手段及びＷＬＡＮ通信手段のうち、一方の通信手段にのみ電源を供給して一方の通信手段による通信を有効に設定し、他方の通信手段に対する電源供給を断にして他方の通信手段による通信を無効に設定可能にする機能が備わっているのが一般的である。
【０００６】
そのため、無効に設定されている通信手段に対して着信があった場合、該通信手段が有効に設定されていれば応答が可能であるにも拘らず、該通信手段の通信経路とは異なる通信手段の通信経路へ自動転送されるため、発呼者からみると、希望する通信品質、あるいは通信料金とは異なる状況での通信を強いられるという問題がある。
【０００７】
本発明の目的は、上記の問題点を解消し、発呼側で使用した通信手段が着信側携帯通信端末で無効設定されている場合においても、該通信手段による通信を極力可能にするデュアル通信システムを提供することにある。
【課題を解決するための手段】
【０００８】
本発明の通信システムは、通信方式の異なる複数の無線通信システムと、該複数の無線通信システムで各々通信が可能な複数の無線通信手段を実装した携帯通信端末とを備えた通信システムにおいて、前記複数の無線通信システム内の一無線通信システムから送信された前記携帯通信端末に対する着呼に対して前記携帯通信端末からの応答がないときに、前記複数の無線通信システム内の他の無線通信システム経由で前記携帯通信端末に実装された前記一無線通信システム用無線通信手段を有効化するための呼び出し要求信号を送信する呼び出し要求手段を備えたことを特徴とする。
【０００９】
本発明の携帯通信端末は、前記複数の無線通信システムで各々通信が可能な複数の無線通信手段と、前記呼び出し要求信号を受信する手段と、該受信した呼び出し要求信号で指定された前記無線通信手段を有効状態に設定する通信モード切替制御手段を備えていることを特徴とする。
【００１０】
本発明の通信方法は、通信方式の異なる複数の無線通信システムと、該複数の無線通信システムで各々通信が可能な複数の無線通信手段を実装した携帯通信端末とを備えた通信システムにおける通信方法であって、前記複数の無線通信システム内の一無線通信システムから送信された前記携帯通信端末宛の着呼に対して前記携帯通信端末からの応答がないときに、前記複数の無線通信システム内の他の無線通信システム経由で前記携帯通信端末に実装された前記一無線通信システム用無線通信手段を有効化するための呼び出し要求信号を送信することを特徴とする。
【発明の効果】
【００１１】
本発明によれば、携帯電話機能とＷＬＡＮ通信機能を有するデュアルモードの携帯通信端末において、携帯電話通信手段を無効とする通信モード設定がなされた状態で着信があった場合、ＷＬＡＮ経由で携帯電話呼び出し要求を行って携帯電話通信手段を有効にする通信モード設定変更要求を行うことにより携帯電話通信手段を有効にすることで着信が可能となり、携帯電話による通信不可を回避することができる。
【００１２】
また、ＷＬＡＮ通信手段を無効とする通信モード設定がなされた状態で着信があった場合、携帯電話経由でＷＬＡＮ呼び出し要求を行ってＷＬＡＮ通信手段を有効にする通信モード設定変更要求を行うことによりＷＬＡＮ通信手段を有効にすることで着信が可能となり、ＷＬＡＮによる通信不可を回避することができる。
【００１３】
また本発明では、消費電力削減に有効な通信モード設定の機能を削減することなく、無効に設定されている通信手段による通信不可を回避することができる。
【発明を実施するための最良の形態】
【００１４】
図１は、本発明の実施形態を示すデュアル通信システムのブロック図である。
【００１５】
本実施形態のデュアル通信システムは、携帯通信端末１と、無線基地局２と、携帯電話交換局４を含む携帯電話交換網４０と、ＷＬＡＮ基地局３と、ＩＰ交換局６を含むＩＰ交換網６０と、携帯電話交換局４及びＩＰ交換局６から呼び出し要求をうけて、携帯通信端末１へ呼び出し要求を行う呼び出し要求部５と、異種のネットワーク（本実施例では、携帯電話交換網４０とＩＰ交換網６０）を相互接続するゲートウェイ７０と、通信ネットワーク網５０とから構成されている。呼び出し要求部５、携帯電話交換局４、ＩＰ交換局６、無線基地局２、ＷＬＡＮ基地局３は、それぞれ有線網で接続されている。
【００１６】
携帯通信端末１は、それぞれが異なる電話番号を持つ携帯電話通信手段とＷＬＡＮ通信手段との複数の通信手段を持ち、いずれかの通信手段を用いて音声通話等の通信を行う。また、携帯通信端末１は携帯電話交換網４０に対してＷＬＡＮ通信手段の電話番号を登録する機能と、ＩＰ電話交換網６０に対して携帯電話通信手段の電話番号を登録する機能とを有している。
【００１７】
携帯通信端末１は、携帯電話通信の際には無線基地局２を介して携帯電話交換局４と通信を行う。本実施形態の機能として、携帯電話交換局４が携帯通信端末１と通信が確立できない場合、携帯電話交換局４は、呼び出し要求を呼び出し要求部５に対して行う。呼び出し要求部５は、携帯電話交換局４からの呼び出し要求を受けると、ＷＬＡＮ基地局３を介して、携帯通信端末１に対してＷＬＡＮ通信手段の電話番号による携帯呼び出し要求を行う。
【００１８】
この呼び出し要求を受信した携帯通信端末１は、ＷＬＡＮ通信手段で呼び出し要求部５に対して応答するとともに、自端末の通信モード設定がＷＬＡＮシングルモードに設定されている場合には、自端末の通信モード設定をＤｕａｌモード（ＷＬＡＮ優先）に変更する。携帯通信端末１で設定される通信モードの内容については後述する。
【００１９】
呼び出し要求に対する応答を携帯通信端末１から受信した呼び出し要求部５は、携帯電話交換局４に対して、携帯通信端末１との間の携帯電話通信の再確立を指示する。携帯電話交換局４は呼び出し要求部５からの再確立指示に従って、無線基地局２経由で携帯通信端末１に対して着信信号を再送信する。
【００２０】
この着信信号の再送信に対して携帯通信端末１が応答した場合には、携帯電話通信手段により携帯通信端末１と通信を確立する。この着信信号の再送信に対して携帯通信端末１が応答しない場合には、携帯通信端末１の携帯電話通信は圏外と判断して、ＷＬＡＮ通信手段への切り替えを行い、ゲートウェイ７０を介してＷＬＡＮ通信手段で携帯通信端末１と通信を確立する。
【００２１】
また携帯通信端末１は、ＷＬＡＮ通信の際には、ＷＬＡＮ基地局３を介してＩＰ交換局６とＷＬＡＮ通信を行う。本実施形態の機能として、ＩＰ交換局６が携帯通信端末１とＷＬＡＮ通信が確立できない場合、ＩＰ交換局６は、呼び出し要求を呼び出し要求部５に対して行う。呼び出し要求部５は、ＩＰ交換局６からの呼び出し要求を受けると、無線基地局２を介して、携帯通信端末１に対して携帯呼び出し要求を行う。
【００２２】
この呼び出し要求を受信した携帯通信端末１は、携帯電話通信手段で呼び出し要求部５に対して応答するとともに、自端末の通信モード設定が携帯電話シングルモードに設定されている場合には、自端末の通信モード設定をＤｕａｌモード（携帯電話優先）に変更する。
【００２３】
呼び出し要求に対する応答を携帯通信端末１から受信した呼び出し要求部５は、ＩＰ交換局６に対して、携帯通信端末１との間のＷＬＡＮ通信の再確立を指示する。ＩＰ交換局６は呼び出し要求部５からの再確立指示に従って、ＷＬＡＮ基地局２経由で携帯通信端末１に対して着信信号を再送信する。
【００２４】
この着信信号の再送信に対して携帯通信端末１が応答した場合には、ＷＬＡＮ通信手段により携帯通信端末１と通信を確立する。この着信信号の再送信に対して携帯通信端末１が応答しない場合には、携帯通信端末１のＷＬＡＮ通信は圏外と判断して、携帯電話通信手段への切り替えを行い、ゲートウェイ７０を介して携帯電話通信手段で携帯通信端末１と通信を確立する。
【００２５】
なお、図１において、携帯通信端末１と無線基地局２との間では、ＣＤＭＡ方式等の無線通信システムが用いられ、携帯通信端末とＩＰ基地局との間では、ＷＬＡＮなどの近距離無線伝送システムが用いられるが、これらの方式、および交換網、ネットワーク網は、当業者にとってよく知られており、また本発明と直接関係しないので、その詳細な構成および説明は省略する。
【００２６】
図２は、本実施形態の携帯通信端末の内部構成を示すブロック図である。
【００２７】
本実施形態の携帯通信端末１は、携帯電話通信用の送受信機能として、携帯通信端末外部の無線基地局２と電波で無線通信する携帯アンテナ１０１と、携帯アンテナ１０１からの信号を送受信する携帯電話無線部１０３と、携帯電話無線部１０３からの受信信号を処理してＣＰＵ１１１および呼出信号処理部１０９へ送信する携帯電話受信処理部１０６と、ＣＰＵ１１１からの信号を処理して携帯電話無線部１０３へ送信する携帯電話送信処理部１０５からなる構成を備えている。
【００２８】
また、ＷＬＡＮ通信用の送受信機能として、携帯通信端末外部のＩＰ基地局３とＷＬＡＮ通信するＷＬＡＮアンテナ１０２と、ＷＬＡＮアンテナ１０２からの信号を送受信するＷＬＡＮ無線部１０４と、ＷＬＡＮ無線部１０４からの受信信号を処理してＣＰＵ１１１および呼出信号処理部１０９へ送信するＷＬＡＮ受信処理部１０７と、ＣＰＵ１１１からの信号を処理してＷＬＡＮ無線部１０４へ送信するＷＬＡＮ送信処理部１０８からなる構成を備えている。
【００２９】
また、携帯電話受信処理部１０６およびＷＬＡＮ受信処理部１０７からの呼出信号を受信し、ＣＰＵ１１１へ要求を出す呼出信号処理部１０９と、ＣＰＵ１１１からのモード切替要求を受けて、モード切り替えを行い、且つ携帯電話送信処理部１０５と携帯電話受信処理部１０６とＷＬＡＮ受信処理部１０７とＷＬＡＮ送信処理部１０８への制御を行うモード切替制御部１１０と、ＣＰＵ１１１、メモリ部１１２、キー操作部１１３、ＬＣＤ表示部１１４を備えている。
【００３０】
携帯アンテナ１０１は、無線基地局２との間で電波による無線信号の送受信を行う。無線基地局２から携帯アンテナ１０１で受信された受信信号（下り）は携帯電話無線部１０３を介して、携帯電話受信処理部１０６に送信される。携帯電話受信処理部１０６は、通常の通話及びデータ信号か、ＷＬＡＮ呼び出し要求信号かを判別し、通話及びデータ信号の場合はＣＰＵ１１１へ信号を送信し、ＷＬＡＮ呼び出し要求信号の場合は、呼出信号処理部１０９へ信号を送信する。
【００３１】
ＷＬＡＮアンテナ１０２は、ＷＬＡＮ基地局３との間でＷＬＡＮ信号の送受信を行う。ＷＬＡＮ基地局３からＷＬＡＮアンテナ１０２で受信された受信信号（下り）はＷＬＡＮ無線部１０４を介して、ＷＬＡＮ受信処理部１０７に送信される。ＷＬＡＮ受信処理部１０７は、通常のＶｏＩＰ通話及びデータ信号か、携帯電話呼び出し要求信号かを判別し、ＶｏＩＰ通話及びデータ信号の場合はＣＰＵ１１１へ信号を送信し、携帯電話呼び出し要求信号の場合は、呼出信号処理部１０９へ信号を送信する。
【００３２】
呼出信号処理部１０９は、携帯電話受信処理部１０６からＷＬＡＮ呼び出し要求信号を受信すると、ＣＰＵ１１１にＷＬＡＮ停止状態の解除要求を行う。また、呼出信号処理部１０９は、ＷＬＡＮ受信処理部１０７から携帯電話呼び出し要求信号を受信すると、ＣＰＵ１１１に携帯電話停止状態の解除要求を行う。
【００３３】
ＣＰＵ１１１は、呼出信号処理部１０９から、携帯電話停止状態の解除要求を受信し、携帯電話送受信機能が停止していた場合は、モード切替制御部１１０に、携帯電話送受信開始の要求を行う。また、ＣＰＵ１１１は、呼出信号処理部１０９から、ＷＬＡＮ停止状態の解除要求を受信し、ＷＬＡＮ送受信機能が停止していた場合は、モード切替制御部１１０に、ＷＬＡＮ送受信開始の要求を行う。
【００３４】
モード切替制御部１１０は、ＣＰＵ１１１から携帯電話送受信開始の要求を受けると、通信モード設定をＷＬＡＮシングルモードからＤｕａｌモード（ＷＬＡＮ優先）に変更し、携帯電話通信を有効にする。その際、スリープ状態の携帯電話無線部１０３、携帯電話送信処理部１０５及び携帯電話受信処理部１０６に動作電源を供給することにより起動させ、携帯電話送受信を可能にする。
【００３５】
また、モード切替制御部１１０は、ＣＰＵ１１１からＷＬＡＮ送受信開始の要求を受けると、通信モード設定を携帯電話シングルモードからＤｕａｌモード（携帯電話優先）に変更し、ＷＬＡＮ通信を有効にする。その際、スリープ状態のＷＬＡＮ無線部１０４、ＷＬＡＮ送信処理部１０８及びＷＬＡＮ受信処理部１０７に動作電源を供給することにより起動させ、ＷＬＡＮ送受信を可能にする。
【００３６】
図３は、本実施形態の携帯通信端末で設定可能な通信モードを示す通信モード設定画面である。
【００３７】
携帯通信端末１が、携帯電話機能とＷＬＡＮ通信機能を有するデュアルモード端末の場合、Ｄｕａｌモード（携帯電話優先）、Ｄｕａｌモード（ＷＬＡＮ優先）、携帯電話シングルモード、ＷＬＡＮシングルモードの、４つの通信モード設定が規定される。ユーザーは、この設定画面から携帯通信端末１に設定するモードを指定することができる。
【００３８】
Ｄｕａｌモード（携帯電話優先）は、携帯電話通信手段とＷＬＡＮ通信手段の両方を有効にした状態とし、携帯電話機通信の着信があると、携帯電話通信で応答し、ＷＬＡＮ通信の着信があると、ＷＬＡＮ通信で応答するが、発呼の際には、携帯電話通信手段を優先的に選択し、携帯電話通信が圏外で通信不可の場合は、ＷＬＡＮ通信で発呼を行うモードである。
【００３９】
Ｄｕａｌモード（ＷＬＡＮ優先）は、携帯電話通信手段とＷＬＡＮ通信手段の両方を有効にした状態とし、携帯電話機通信の着信があると、携帯電話通信で応答し、ＷＬＡＮ通信の着信があると、ＷＬＡＮ通信で応答するが、発呼の際には、ＷＬＡＮ通信手段を優先的に選択し、ＷＬＡＮ通信が圏外で通信不可の場合は、携帯電話通信で発呼を行うモードである。
【００４０】
携帯電話シングルモードのときには、ＷＬＡＮ無線部１０４、ＷＬＡＮ受信処理部１０７、ＷＬＡＮ送信処理部１０８への電源供給は停止される。従って、携帯電話通信の着信があると携帯電話通信手段で応答可能であるが、ＷＬＡＮ通信の着信を受けても、ＷＬＡＮ通信はできない。また、携帯電話機通信手段による発信は可能であるが、ＷＬＡＮ通信手段による発信は不可能なモードである。
【００４１】
ＷＬＡＮシングルモードのときには、携帯電話無線部１０３、携帯電話受信処理部１０６、携帯電話送信処理部１０５への電源供給は停止される。従って、ＷＬＡＮ通信の着信があるとＷＬＡＮ通信手段で応答可能であるが、携帯電話通信の着信を受けても、携帯電話通信はできない。また、ＷＬＡＮ通信手段による発信は可能であるが、携帯電話通信手段による発信は不可能なモードである。
【００４２】
図４は、本実施形態のデュアルモード通信システムにおいて、携帯電話通信手段により着信があった場合の動作を示すフローチャートであり、図５は、本実施形態のデュアルモード通信システムにおいて、ＷＬＡＮ通信手段に対して着信があった場合の動作を示すフローチャートである。以下、本実施形態の動作について、図１〜図５を参照して詳細に説明する。
【００４３】
先ず、携帯電話通信手段で着信があった場合、携帯電話交換局４は、携帯電話通信手段で携帯通信端末１から応答があるかどうかを確認する（Ｓ５１）。応答がある場合（Ｓ５１，ＹＥＳ）は、携帯電話通信手段で携帯電話機１と通信を確立する（Ｓ５７）。応答がなかった場合（Ｓ５１，ＮＯ）は、携帯通信端末１の通信モード設定がＷＬＡＮシングルモードに設定されている可能性があるため、携帯電話交換局４は、ＷＬＡＮ経由での呼び出し要求を呼び出し要求部５に要請する。呼び出し要求部５は、ＷＬＡＮ通信のオーバヘッドに携帯電話呼び出し要求の情報を付加してＷＬＡＮ基地局３経由で携帯電話呼び出し要求を行う（Ｓ５２）。
【００４４】
この呼び出し要求に対しても、携帯通信端末１から応答がない場合（Ｓ５３，ＮＯ）は、携帯通信端末１はいずれの通信手段でも通信不可と判断される（Ｓ５８）。ＷＬＡＮ基地局３経由での呼び出し要求（Ｓ５２）に対して応答がある場合（Ｓ５３，ＹＥＳ）には、携帯通信端末１では、通信モード設定がＤｕａｌモード（ＷＬＡＮ優先）に変更され（Ｓ５４）、携帯電話送受信が可能な状態に設定されるので、携帯電話交換局４は、携帯電話通信手段に着信を再送信して、携帯通信端末１から応答があるかどうかを確認する（Ｓ５５）。
【００４５】
応答がある場合（Ｓ５５，ＹＥＳ）は、携帯電話通信手段で携帯電話機１と通信を確立する（Ｓ５９）。応答がなかった場合（Ｓ５５，ＮＯ）は、携帯通信端末１の携帯電話通信は圏外と判断し、ＷＬＡＮ通信手段へ切り替えを行う（Ｓ５６）。ＷＬＡＮ基地局３経由での呼び出し要求（Ｓ５２）に対する応答はステップ（Ｓ５３）で確認されているので、ゲートウェイ７０を介してＷＬＡＮ通信手段で携帯通信端末１と通信が確立される（Ｓ６０）。
【００４６】
次に、ＷＬＡＮ通信手段で着信があった場合、ＩＰ交換局６は、ＷＬＡＮ通信手段で携帯通信端末１から応答あるかどうかを確認する（Ｓ７１）。応答がある場合（Ｓ７１，ＹＥＳ）は、ＷＬＡＮ通信手段で携帯電話機１と通信を確立する（Ｓ７７）。応答がなかった場合（Ｓ７１，ＮＯ）は、携帯通信端末１の通信モード設定が携帯電話シングルモード設定に設定されている可能性があるため、ＩＰ交換局６は、携帯電話経由での呼び出し要求を呼び出し要求部５に要請する。呼び出し要求部５は、携帯電話通信のオーバヘッドにＷＬＡＮ呼び出し要求の情報を付加して無線基地局２経由でＷＬＡＮ呼び出し要求を行う（Ｓ７２）。
【００４７】
この呼び出し要求に対しても、携帯通信端末１から応答がない場合（Ｓ７３，ＮＯ）は、携帯通信端末１はいずれの通信手段でも通信不可と判断される（Ｓ７８）。無線基地局２経由での呼び出し要求（Ｓ７２）に対して応答がある場合（Ｓ７３，ＹＥＳ）には、携帯通信端末１では、通信モード設定がＤｕａｌモード（携帯電話優先）に変更され（Ｓ７４）、ＷＬＡＮ送受信が可能な状態に設定されるので、ＩＰ交換局６は、ＷＬＡＮ通信手段に着信を再送信して、携帯通信端末１から応答があるかどうかを確認する（Ｓ７５）。
【００４８】
応答がある場合（Ｓ７５，ＹＥＳ）は、ＷＬＡＮ通信手段で携帯電話機１と通信を確立する（Ｓ７９）。応答がなかった場合（Ｓ７５，ＮＯ）は、携帯通信端末１のＷＬＡＮ通信は圏外と判断し、携帯電話通信手段へ切り替えを行う（Ｓ７６）。無線基地局２経由での呼び出し要求（Ｓ７２）に対する応答はステップ（Ｓ７３）で確認されているので、ゲートウェイ７０を介して携帯電話通信手段で携帯通信端末１と通信が確立される（Ｓ８０）。
【００４９】
本実施形態では、例えば、携帯電話交換局４からの携帯電話着信に対して携帯通信端末１が応答しないとき、直ちにＷＬＡＮ経由の着信に切り替えずに、携帯通信端末１に対してＷＬＡＮ経由で携帯電話呼び出し要求を行って、携帯通信端末１の携帯電話機能を有効にするための制御を行い、その後、携帯電話交換局４からの携帯電話着信を再送信して携帯通信端末１と通信を確立するようにしているので、携帯電話機能が無効に設定されている携帯通信端末１に対する携帯電話着信であっても、携帯電話機能を有効に切替えて携帯電話通信手段で通信を行うことが可能となる。
【００５０】
同様に、ＩＰ交換局６からのＷＬＡＮ着信に対して携帯通信端末１が応答しないとき、直ちに携帯電話経由の着信に切り替えずに、携帯通信端末１に対して携帯電話経由でＷＬＡＮ呼び出し要求を行って、携帯通信端末１のＷＬＡＮ機能を有効にするための制御を行い、その後、ＩＰ交換局６からのＷＬＡＮ着信を再送信して携帯通信端末１と通信を確立するようにしているので、ＷＬＡＮ機能が無効に設定されている携帯通信端末１に対するＷＬＡＮ着信であっても、ＷＬＡＮ機能を有効に切替えてＷＬＡＮ通信手段で通信を行うことが可能となる。
【００５１】
なお、上記実施形態では、デュアルモードとして、携帯電話機能とＷＬＡＮ通信機能の２系統の通信手段を実装した場合について説明したが、３系統以上の複数の通信手段を実装する単一の携帯通信端末においても、各通信手段に対して呼び出し要求を行うことで無効に設定されている通信手段を有効にする制御を行う手段を設けることにより、同様の構成を実現することができる。
【図面の簡単な説明】
【００５２】
【図１】本発明の実施形態を示すデュアル通信システムのブロック図である。
【図２】本実施形態の携帯通信端末の内部構成を示すブロック図である。
【図３】本実施形態の携帯通信端末で設定可能な通信モードを示す通信モード設定画面である。
【図４】本実施形態のデュアルモード通信システムの動作を示すフローチャートである。
【図５】本実施形態のデュアルモード通信システムの動作を示すフローチャートである。
【符号の説明】
【００５３】
１  携帯通信端末
２  無線基地局
３  ＷＬＡＮ基地局
４  携帯電話交換局
５  呼び出し要求部
６  ＩＰ交換局
４０  携帯電話交換網
５０  通信ネットワーク網
６０  ＩＰ交換網
７０  ゲートウェイ
１０１  携帯アンテナ
１０２  ＷＬＡＮアンテナ
１０３  携帯電話無線部
１０４  ＷＬＡＮ無線部
１０５  携帯電話送信処理部
１０６  携帯電話受信処理部
１０７  ＷＬＡＮ受信処理部
１０８  ＷＬＡＮ送信処理部
１０９  呼び出し信号処理部
１１０  モード切替制御部
１１１  ＣＰＵ
１１２  メモリ部
１１３  キー操作部
１１４  ＬＣＤ表示部
【図１】
2010087876.tif 000003
【図２】
2010087876.tif 000004
【図３】
2010087876.tif 000005
【図４】
2010087876.tif 000006
【図５】
2010087876.tif 000007